(57)【要約】【課題】複数のカメラ間で画像データのファイル名が重複してしまうのを防ぐことができる画像データ保存プログラム、カメラを提供する。【解決手段】画像データ保存プログラムは、複数のカメラで撮影した画像データにファイル名を付して保存するプログラムであり、カメラ１の制御部２０に、複数のカメラの撮影順序と同期された符号であって配列順序が定まった数字により表される同期番号Ｘと、カメラ１と他のカメラ１−２、１−３とを識別する識別番号Ｙと、カメラ１内で撮影された撮影順を示す撮影番号Ｚとが順に羅列したファイル名を、画像データに付与するファイル名付与ステップを実行させる。【選択図】図２
2014235682.tif 000002
【特許請求の範囲】
【請求項１】
複数のカメラで撮影した画像データにファイル名を付して保存する画像データ保存プログラムにおいて、
前記カメラの制御部に、
前記複数のカメラの撮影順序と同期された符号であって配列順序が定まった符号により表される同期部と、前記カメラと他のカメラとを識別する識別部と、前記カメラ内で撮影された撮影順を示す撮影部とが順に羅列したファイル名を、前記画像データに付与するファイル名付与ステップ、
を実行させる画像データ保存プログラム。
【請求項２】
請求項１に記載の画像データ保存プログラムにおいて、
前記カメラの制御部に、
前記複数のカメラの１つが撮影する毎に、前記同期部を配列順序に応じて変化させる同期部変更ステップを、
さらに実行させる画像データ保存プログラム。
【請求項３】
請求項２に記載の画像データ保存プログラムにおいて、
前記他のカメラと通信を行う通信ステップをさらに備え、
前記カメラが撮影した場合に、前記同期部変更ステップは、前記同期部を変化させ、
前記通信ステップは、その変化させた同期部の情報を他のカメラに送信すること、
を特徴とする画像データ保存プログラム。
【請求項４】
請求項３に記載の画像データ保存プログラムにおいて、
前記通信ステップは、前記他のカメラが撮影した場合に、前記他のカメラが変化させた同期部の情報を前記他のカメラから受信し、
前記同期部変更ステップは、前記他のカメラから受信した同期部の情報に基づいて、前記同期部を変化させること、
を特徴とする画像データ保存プログラム。
【請求項５】
請求項４に記載の画像データ保存プログラムにおいて、
前記同期部変更ステップは、前記カメラが前記他のカメラに送信した同期部の情報が、前記他のカメラから受信した同期部の情報と同じ情報である場合に、前記他のカメラから受信した同期部の情報に基づいて、前記同期部を変化させないこと、
を特徴とする画像データ保存プログラム。
【請求項６】
請求項３から請求項５までのいずれか１項に記載の画像データ保存プログラムにおいて、
前記同期部変更ステップは、前記他のカメラとの通信状態が不通であった場合、前記通信状態が回復した後の前記カメラの同期部の情報と、前記他のカメラの同期部の情報とに基づいて、前記カメラの同期部を変化させること、
を特徴とする画像データ保存プログラム。
【請求項７】
請求項３から請求項６までのいずれか１項に記載の画像データ保存プログラムにおいて、
前記同期部変更ステップは、前記他のカメラとの通信状態が不通である場合、前記カメラが撮影するたびに前記同期部を変化させないこと、
を特徴とする画像データ保存プログラム。
【請求項８】
請求項２から請求項７までのいずれか１項に記載の画像データ保存プログラムにおいて、
前記同期部変更ステップは、前記カメラが一連の撮影を実行した場合、前記カメラが撮影するたびに前記同期部を変化させないこと、
を特徴とする画像データ保存プログラム。
【請求項９】
請求項３から請求項８までのいずれか１項に記載の画像データ保存プログラムにおいて、
前記同期部変更ステップは、前記カメラが一連の撮影を実行している間に前記他のカメラが変化させた同期部の情報を前記他のカメラから受信した場合、前記カメラの一連の撮影後に、前記他のカメラから受信した同期部の情報に基づいて、前記同期部を変化させること、
を特徴とする画像データ保存プログラム。
【請求項１０】
請求項１から請求項９までのいずれか１項に記載の画像データ保存プログラムを保存した記憶部と、
前記記憶部に保存された前記画像データ保存プログラムを実行する制御部と、
を備えるカメラ。
【請求項１１】
複数のカメラで撮影した画像データにファイル名を付して保存するカメラにおいて、
前記複数のカメラの撮影順序と同期された符号であって配列順序が定まった符号により表される同期部と、前記カメラと他のカメラとを識別する識別部と、前記カメラ内で撮影された撮影順を示す撮影部とが順に羅列したファイル名を、前記画像データに付与するファイル名付与手段と、
前記複数のカメラの１つが撮影する毎に、前記同期部を配列順序に応じて変化させる同期部変更手段と、
を備えるカメラ。
【発明の詳細な説明】
【技術分野】
【０００１】
本発明は、画像データ保存プログラム、カメラに関するものである。
【背景技術】
【０００２】
複数のカメラで撮影した画像データを、ファイル名を重複させずに保存する場合、他のカメラで保存した画像データのファイル名の情報を受信しておき、その受信したファイル名の情報に基づいて次に撮影された画像データのファイル名を決定していた（例えば、特許文献１）。
しかし、このような方法では、ファイル名の情報を他のカメラから受信するタイミングによっては、各カメラ間でファイル名が重複してしまう場合があり、複数のカメラで撮影した画像データを一括して管理する場合に、ファイル名を付け直す、いわゆるリネーム等の処理が必要となる場合があった。
【先行技術文献】
【特許文献】
【０００３】
【特許文献１】特開２０１０−１１８９１４号公報
【発明の概要】
【発明が解決しようとする課題】
【０００４】
本発明の課題は、複数のカメラ間で画像データのファイル名が重複してしまうのを防ぐことができる画像データ保存プログラム、カメラを提供することである。
【課題を解決するための手段】
【０００５】
前記課題を解決するために、請求項１の発明は、複数のカメラで撮影した画像データにファイル名を付して保存する画像データ保存プログラムにおいて、前記カメラの制御部に、前記複数のカメラの撮影順序と同期された符号であって配列順序が定まった符号により表される同期部と、前記カメラと他のカメラとを識別する識別部と、前記カメラ内で撮影された撮影順を示す撮影部とが順に羅列したファイル名を、前記画像データに付与するファイル名付与ステップ、を実行させる画像データ保存プログラムである。
【０００６】
請求項１１の発明は、複数のカメラで撮影した画像データにファイル名を付して保存するカメラにおいて、前記複数のカメラの撮影順序と同期された符号であって配列順序が定まった符号により表される同期部と、前記カメラと他のカメラとを識別する識別部と、前記カメラ内で撮影された撮影順を示す撮影部とが順に羅列したファイル名を、前記画像データに付与するファイル名付与手段と、前記複数のカメラの１つが撮影する毎に、前記同期部を配列順序に応じて変化させる同期部変更手段と、を備えるカメラである。
【発明の効果】
【０００７】
本発明によれば、複数のカメラ間で画像データのファイル名が重複してしまうのを防ぐことができる。
【図面の簡単な説明】
【０００８】
【図１】実施形態のカメラ１の全体構成を説明する概略図である。
【図２】カメラ１の画像データ保存の基本動作を説明する図である。
【図３】複数のカメラの撮影が同時に行われた場合の各カメラの画像データの保存動作を説明する図である。
【図４】カメラ１の連写撮影中における各カメラの画像データの保存動作を説明する図である。
【図５】カメラ１−３の通信が遮断した場合の各カメラの画像データの保存動作を説明する図である。
【発明を実施するための形態】
【０００９】
（実施形態）
以下、図面等を参照して、本発明の実施形態について説明する。
図１は、実施形態のカメラの全体構成を説明する概略図である。
【００１０】
カメラ１は、図１に示すように、レンズ部２、レンズ駆動回路３、撮像素子４、画像処理回路５、操作部１０、制御部２０、記憶部２１、メモリカード２２、表示部２３、通信部２４等を有したデジタルカメラである。カメラ１は、通信部２４を介して他の複数のカメラと通信することができる。
レンズ部２は、カメラ１の前部に設けられ、被写体の光Ａ１を入射し、撮影目的に応じて被写体像を拡大又は縮小して、撮像素子４へと射出するズーム機能を有したレンズ群である。
レンズ駆動回路３は、制御部２０の出力信号に基づいて、レンズ部２を光軸方向に移動させる制御回路である。
【００１１】
撮像素子４は、例えば、ＣＭＯＳ（Ｃｏｍｐｌｅｍｅｎｔａｒｙ  Ｍｅｔａｌ  Ｏｘｉｄｅｄ  Ｓｅｍｉｃｏｎｄｕｃｔｏｒ）であり、レンズ部２から出射した光Ａ１を露光し、電気的な撮像データに変換する素子である。撮像素子４は、制御部２０の出力信号に基づいて被写体像の撮像を行う。
画像処理回路５は、撮像素子４で変換した画像信号を画像データに変換する回路であり、変換した画像データを制御部２０に出力する。
【００１２】
操作部１０は、カメラ１に設けられた操作用のスイッチ群であり、電源スイッチ１１、レリーズスイッチ１２、シンクロスイッチ１３等を備える。操作部１０の各スイッチは、操作情報を制御部２０に出力する。
電源スイッチ１１は、カメラ１に電源を投入又は遮断するスイッチである。
レリーズスイッチ１２は、被写体像の撮影に係る操作を実行するスイッチであり、半押しスイッチＳＷ１と、全押しスイッチＳＷ２とを有する。半押しスイッチＳＷ１は、カメラ１の測光、測距等の撮影準備（例えば、オートフォーカス等）を開始させるスイッチであり、全押しスイッチＳＷ２は、被写体像の撮影を実行するスイッチである。
シンクロスイッチ１３は、撮影した画像データのファイル名を、他のカメラに保存されたファイル名と同期（シンクロナイズ）させて保存するモード（以下、シンクロモードという）と、他のカメラとは同期させずに独立して保存するモードとを切り替えるスイッチである。シンクロモードでは、カメラ１と他のカメラとを同期させることによって、各カメラで撮影された画像データのファイル名が重複しないようにしてファイル名が決定される。
【００１３】
制御部２０は、カメラ１の各部を統括制御する制御回路であり、例えばＣＰＵ等から構成される。制御部２０は、レンズ駆動回路３、画像処理回路５、操作部１０、記憶部２１、メモリカード２２、表示部２３、通信部２４等と接続される。また、制御部２０は、記憶部２１に記憶された各種プログラムを適宜読み出して実行することにより、前述したハードウェアと協働し、本発明に係る各種機能を実現する。
記憶部２１は、カメラ１の動作に必要なプログラム、情報等を記憶するための半導体メモリ素子等の記憶装置である。記憶部２１は、撮像素子４で撮像された画像データにファイル名を付与してメモリカード２２に保存する画像データ保存プログラムを記憶する。
【００１４】
ここで、画像データに付与されるファイル名は、他のカメラの撮影順序と同期を取る３桁の同期番号Ｘ（同期部）と、各カメラを識別する１桁の識別番号Ｙ（識別部）と、カメラ１内で撮影された撮影順序を示す４桁の撮影番号Ｚ（撮影部）とが順に羅列した形態となる。すなわち、ファイル名は、ＸＹＺ．ｊｐｇと表される。
なお、本実施形態では、上記したように、ｊｐｇ形式で画像データが保存される例を示すが、これに限定されるものでなく、例えば、ビットマップ形式で保存されるようにしてもよい。
【００１５】
メモリカード２２は、カメラ１で撮影した画像データを記憶する半導体メモリ等の記憶媒体であり、カメラ１と着脱自在に接続される。
表示部２３は、撮影した被写体像を表示したり、カメラ１の設定画面を表示したりする液晶モニタ（ＬＣＤ）であり、カメラ１の背面に設けられている。
通信部２４は、他のカメラと無線通信を行う通信モジュールであり、例えば、Ｂｌｕｅｔｏｏｔｈ（ＩＥＥＥ  ８０２．１５．１）（登録商標）、無線ＬＡＮ（ＩＥＥＥ  ８０２．１１）等の通信規格が使用される。
【００１６】
次にカメラ１による画像データ保存の基本動作について説明する。
図２は、カメラ１の画像データ保存の基本動作を説明する図である。なお、以下の説明では、カメラ１の他にもう２台、カメラ１と同様のカメラ（以下、カメラ１−２、カメラ１−３という）が存在し、カメラ１が通信部２４を介してカメラ１−２、１−３と通信するものとして説明する。なお、以下の説明及び図面において、カメラ１−２及びカメラ１−３のカメラ１と同様の機能を果たす部分には、末尾に同一の符号「−２」、「−３」をそれぞれ付して説明をする。
【００１７】
カメラ１のシンクロスイッチ１３がＯＮにされるとともに、カメラ１−２、１−３のシンクロスイッチ１３−２、１３−３もＯＮにされることによって、各カメラは、シンクロモードに移行し、それぞれの記憶部に保存された画像データ保存プログラムを実行する。
それから、カメラ１は、図２に示すように、各カメラのファイル名に付す識別番号Ｙを決定する。本実施形態では、カメラ１の識別番号がＹ＝１、カメラ１−２の識別番号がＹ＝２、カメラ１−３の識別番号がＹ＝３と決定するが、これに限定されるものでない。なお、各カメラの識別番号Ｙの決定は、各カメラのシンクロスイッチのＯＮにしたタイミングの先後によって決めたり、ユーザの任意の設定により決めたりすることができる。
【００１８】
次に、各カメラは、各カメラ間で同期した同期番号Ｘを決定する。本説明においては、同期番号がＸ＝００５に設定されたものとして説明する。なお、同期番号Ｘの決定は、各カメラのメモリカードに既に保存されている画像データのファイル名を参照して最大の同期番号に１を加算した番号を同期番号としたり、ユーザの任意の設定により決定したりすることができる。
また、各カメラは、各カメラ内の撮影番号を決定する。撮影番号Ｚは、各カメラに固有に設けられた番号であり、画像データが１枚取得されるごとに、撮影番号Ｚは１ずつ繰り上がる。本説明においては、各カメラのメモリカード内には、画像データが保存されていないものとして、各カメラの撮影番号の初期値は、それぞれＺ＝０００１となる。
なお、識別番号Ｙ、同期番号Ｘ、撮影番号Ｚの決定は任意の順番で行うことができる。
【００１９】
まず、最初に、カメラ１において撮影が実行された場合、制御部２０は、同期番号が上述のようにＸ＝００５であり、カメラ１の識別番号がＹ＝１であり、撮影番号がＺ＝０００１であるので、ファイル名を「００５１０００１．ｊｐｇ」に決定する。そして、そのファイル名を撮影した画像データに付与してメモリカード２２に保存する。
それから、制御部２０は、同期番号Ｘに１を加算して、００５から００６に繰り上げ、その繰り上げた同期番号の情報を、カメラ１−２及びカメラ１−３に通信部２４を介して送信する。また、制御部２０は、カメラ１の撮影番号Ｚを０００１から０００２に繰り上げて次の撮影に備える。
【００２０】
続いて、カメラ１−３において撮影が実行された場合、カメラ１−３の制御部２０−３は、同期番号がＸ＝００６であり、カメラ１−３の識別番号がＹ＝３であり、撮影番号がＺ＝０００１であるので、ファイル名を「００６３０００１．ｊｐｇ」に決定する。そして、そのファイル名を撮影した画像データに付与してメモリカード２２−３に保存する。
それから、制御部２０−３は、同期番号Ｘに１を加算して、００６から００７に繰り上げ、その繰り上げた同期番号の情報を、カメラ１及びカメラ１−２に送信する。また、制御部２０−３は、カメラ１−３の撮影番号Ｚを０００１から０００２に繰り上げて次の撮影に備える。
【００２１】
続いて、カメラ１−２において撮影が連写により２枚実行された場合、カメラ１−２の制御部２０−２は、１枚目の撮影については、同期番号がＸ＝００７であり、カメラ１−２の識別番号がＹ＝２であり、撮影番号がＺ＝０００１であるので、そのファイル名を「００７２０００１．ｊｐｇ」に決定する。そして、制御部２０−２は、そのファイル名を１枚目に撮影した画像データに付与してメモリカード２２−２に保存する。
また、２枚目の撮影については、制御部２０−２は、同期番号（Ｘ＝００７）を繰り上げることなく、撮影番号Ｚのみを０００１から０００２に繰り上げて、ファイル名を「００７２０００２．ｊｐｇ」に決定する。そして、そのファイル名を撮影した画像データに付与してメモリカード２２−２に保存する。こうすることにより、連写撮影した画像データのファイル名に対しては、共通の同期番号を付することができる。連写撮影した画像データに共通の同期番号を付することにより、画像データを管理し易くなる。なお、ここでいう連写とは、一定の間隔で連続的に撮像する場合のみならず、異なる間隔で連続的に撮像する場合も含まれる。また、連写に係る時間については、特に制限はなく、一連の撮影であれば良い。
連写した２枚の画像データを保存したら、制御部２０−２は、同期番号Ｘに１を加算して、００７から００８に繰り上げ、その繰り上げた同期番号の情報を、カメラ１及びカメラ１−３に送信する。また、制御部２０−２は、カメラ１−２の撮影番号Ｚを０００２から０００３に繰り上げて次の撮影に備える。
【００２２】
以上のように、各カメラは、ファイル名にカメラの識別番号が含まれているので、各カメラで撮影されたファイル名が重複してしまうのを防ぐことができる。これにより、各カメラの画像データを例えば一つのフォルダにまとめて置いた場合にファイル名が重複してしまい、ファイル名を付けなおすといったリネーム等の処理が生じてしまうのを回避することができる。
また、各カメラは、ファイル名が同期番号、識別番号、撮影番号の順で構成されており、撮影のたびに、ファイル名に含まれる同期番号を繰り上げて画像データにファイル名を付与している。従って、撮影された順序に対応するファイル名を付与することが可能となる。
更に、各カメラは、連写した画像データのファイル名に同一の同期番号を付すので、連写した画像データを一まとまりにすることができ、画像データの整理等の利便性を向上させることができる。なお、画像データを一まとまりにするとは、他の画像データに比べて相対的に近いファイル名（ファイル番号）を付すことであり、ファイル名で画像データを並べた場合に近い位置に並ぶということを意味している。
【００２３】
次に、複数のカメラの撮影が同時に行われた場合の画像データの保存動作について説明する。
図３は、複数のカメラの撮影が同時に行われた場合の画像データの保存動作を説明する図である。
なお、本説明において、各カメラの同期番号Ｘの初期値は、Ｘ＝０１０であるとし、カメラ１の撮影番号Ｚの初期値は、Ｚ＝００３２、カメラ１−２の撮影番号Ｚの初期値は、Ｚ＝００１８であるとする。
ここで、撮影が同時に行われるとは、各カメラのレリーズスイッチ１２の全押しスイッチＳＷ２が同時に操作された場合だけでなく、一方のカメラで撮影が実行され、繰り上げた同期番号の情報が他のカメラに送信されるまでの間に他方のカメラで撮影された場合も含むものとする。
【００２４】
カメラ１及びカメラ１−２において撮影が同時に実行された場合、カメラ１の制御部２０は、同期番号がＸ＝０１０であり、識別番号がＹ＝１であり、撮影番号がＺ＝００３２であるので、ファイル名を「０１０１００３２．ｊｐｇ」に決定する。そして、そのファイル名を撮影した画像データに付与してメモリカード２２に保存する。
またこれとほぼ同時に、カメラ１−２の制御部２０−２は、同期番号がＸ＝０１０であり、識別番号がＹ＝２であり、撮影番号がＺ＝００１８であるので、ファイル名を「０１０２００１８．ｊｐｇ」に決定する。そして、そのファイル名を撮影した画像データに付与してメモリカード２２−２に保存する。
【００２５】
それから、カメラ１の制御部２０は、同期番号Ｘに１を加算して、０１０から０１１に繰り上げ、その繰り上げた同期番号の情報を、カメラ１−２及びカメラ１−３に送信する。また、制御部２０は、カメラ１の撮影番号Ｚを００３２から００３３に繰り上げて次の撮影に備える。
同様にカメラ１−２の制御部２０−２は、同期番号Ｘに１を加算して、０１０から０１１に繰り上げ、その繰り上げた同期番号の情報を、カメラ１及びカメラ１−３に送信する。また、制御部２０−２は、カメラ１−２の撮影番号Ｚを００１８から００１９に繰り上げて次の撮影に備える。
【００２６】
続いてカメラ１により再び撮影が実行された場合、カメラ１の制御部２０は、繰り上げた同期番号と、カメラ１−２から受信した同期番号とがともにＸ＝０１１で同一であるため、カメラ１で繰り上げた同期番号に基づいてファイル名を付与する。すなわち、制御部２０は、繰り上げた同期番号Ｘ＝０１１に基づいて、ファイル名「０１１１００３３．ｊｐｇ」を画像データに付与してメモリカード２２に保存する。
【００２７】
以上より、カメラ１及びカメラ１−２により同時に撮影が実行された場合においても、各カメラは、ファイル名を重複して保存してしまうのを防ぐことができる。
また、カメラ１で繰り上げた同期番号と、カメラ１がカメラ１−２から受信した同期番号が同じである場合、制御部２０は、カメラ１の同期番号に基づいてファイル名を画像データに付与する。これにより、同期番号を必要以上に繰り上げてしまうのを回避することができ、ファイル名を付した画像データの管理の利便性を向上させることができる。
【００２８】
次に、カメラ１で連写撮影が実行された場合における、各カメラの画像データの保存動作について説明する。
図４は、カメラ１の連写撮影中における各カメラの画像データの保存動作を説明する図である。なお、本説明において、各カメラの同期番号Ｘの初期値は、Ｘ＝０３３であるとし、カメラ１の撮影番号Ｚの初期値は、Ｚ＝０１０１、カメラ１−２の撮影番号Ｚの初期値は、Ｚ＝０１７４、カメラ１−３の撮影番号Ｚの初期値は、Ｚ＝００８７であるとする。
【００２９】
カメラ１の連写撮影が実行されている間にカメラ１−３により撮影が実行された場合、カメラ１−３の制御部２０−３は、同期番号がＸ＝０３３であり、識別番号がＹ＝３であり、撮影番号がＺ＝００８７であるので、ファイル名を「０３３３００８７．ｊｐｇ」に決定する。そして、そのファイル名を撮影した画像データに付与してメモリカード２２−３に保存する。
それから、制御部２０−３は、同期番号Ｘに１を加算して、０３３から０３４に繰り上げ、その繰り上げた同期番号の情報を、カメラ１及びカメラ１−２に送信する。このとき、カメラ１の制御部２０は、連写撮影をしている最中に同期番号を受信しているので、受信した同期番号を繰り上げずに保留状態にする。
また、制御部２０−３は、カメラ１−３の撮影番号Ｚを００８７から００８８に繰り上げて次の撮影に備える。
【００３０】
続いて、カメラ１−２により撮影が実行された場合、カメラ１−２の制御部２０−２は、同期番号がＸ＝０３４であり、識別番号がＹ＝２であり、撮影番号がＺ＝０１７４であるので、ファイル名を「０３４２０１７４．ｊｐｇ」に決定する。そして、そのファイル名を撮影した画像データに付与してメモリカード２２−２に保存する。
それから、制御部２０−２は、同期番号Ｘに１を加算して、０３４から０３５に繰り上げ、その繰り上げた同期番号の情報を、カメラ１及びカメラ１−３に送信する。このとき、カメラ１の制御部２０は、依然として連写撮影をしているので、受信した同期番号を繰り上げずに保留状態にする。
また、制御部２０−２は、カメラ１−２の撮影番号Ｚを０１７４から０１７５に繰り上げて次の撮影に備える。
【００３１】
そして、カメラ１−２及びカメラ１−３による撮影が終わった後に、カメラ１の連写撮影が終了する。カメラ１の制御部２０は、上述したように、同期番号を繰り上げていないので、連写撮影開始時の同期番号（Ｘ＝０３３）に基づいたファイル名を、撮影した画像データに付与して保存する。具体的には、６枚の画像データが連写により撮影された場合、撮影番号Ｚは０１０１から０１０６に順次繰り上げられるので、各画像データのファイル名は、「０３３１０１０１．ｊｐｇ」〜「０３３１０１０６．ｊｐｇ」となる。
この保存処理が終了した後、制御部２０は、同期番号の繰り上げ処理を実施する。このとき、制御部２０は、同期番号Ｘ（Ｘ＝０３３）に１を加算して繰り上げる処理や、繰り上げた同期番号をカメラ１−２及びカメラ１−３に送信する処理を実施しない。すでに、カメラ１の連写撮影中に他のカメラから繰り上げられた同期番号を受信し、その繰り上げ処理を保留しているからである。
【００３２】
連写により撮影された画像データの保存処理が終了した後、制御部２０は、連写撮影中に他のカメラから受信し、保留にしていた同期番号の繰り上げ処理を実施する。ここで、制御部２０は、カメラ１−２、カメラ１−３のそれぞれから同期番号を受信しているが、最新に受信した同期番号で同期番号の繰り上げを行う。本実施形態では、撮影される度に同期番号が繰り上がるので、同期番号が大きい方が最新の同期番号であるとして、カメラ１の同期番号を繰り上げる。すなわち、制御部２０は、カメラ１−２から受信した同期番号（Ｚ＝０３５）を自機の同期番号として繰り上げる。
それから、制御部２０は、カメラ１の撮影番号Ｚを０１０６から０１０７に繰り上げて次の撮影に備える。
【００３３】
以上より、カメラ１は、連写撮影中においても、各カメラのファイル名が重複して保存されてしまうのを防ぐことができる。
また、カメラ１は、連写撮影中に他のカメラから同期番号を受信しても、連写による各撮影データを保存するまで繰り上げ処理を保留するので、連写による各画像データを、同じ同期番号のファイル名で保存することができる。これにより、カメラ１は、連写に係る画像を一まとまりにすることができ、画像データの整理の利便性を向上させることができる。
また、カメラ１は、連写により撮影された画像データの保存処理が終了した後、同期番号の繰り上げを行うが、他のカメラに同期番号を送信する処理を行わない。これにより、無駄な通信の発生を防止することができる。
【００３４】
次に複数あるカメラの一部の通信が遮断した場合の各カメラの画像データの保存動作について説明する。
図５は、カメラ１−３の通信が遮断した場合の各カメラの画像データの保存動作を説明する図である。なお、本説明において、各カメラの同期番号Ｘの初期値は、Ｘ＝１０１であるとし、カメラ１の撮影番号Ｚの初期値は、Ｚ＝００２９、カメラ１−２の撮影番号Ｚの初期値は、Ｚ＝００４４、カメラ１−３の撮影番号Ｚの初期値は、Ｚ＝０３６９であるとする。
【００３５】
図５に示すように、カメラ１−３の通信が遮断されている場合に、カメラ１の撮影が実行された場合、カメラ１の制御部２０は、同期番号がＸ＝１０１であり、識別番号がＹ＝１であり、撮影番号がＺ＝００２９であるので、ファイル名を「１０１１００２９．ｊｐｇ」に決定する。そして、そのファイル名を撮影した画像データに付与してメモリカード２２に保存する。
それから、制御部２０は、同期番号Ｘに１を加算して、１０１から１０２に繰り上げ、その繰り上げた同期番号の情報を、カメラ１−２に送信する。このとき、上述したように、カメラ１−３の通信が遮断されているので、制御部２０は、カメラ１−３に対して同期番号の情報の送信はできない。
また、制御部２０は、カメラ１の撮影番号Ｚを００２９から００３０に繰り上げて次の撮影に備える。
【００３６】
続いて、カメラ１−２の撮影が実行された場合、カメラ１−２の制御部２０−２は、同期番号がＸ＝１０２であり、識別番号がＹ＝２であり、撮影番号がＺ＝００４４であるので、ファイル名を「１０２２００４４．ｊｐｇ」に決定する。そして、そのファイル名を撮影した画像データに付与してメモリカード２２−２に保存する。
それから、制御部２０−２は、同期番号Ｘに１を加算して、１０２から１０３に繰り上げ、その繰り上げた同期番号の情報を、カメラ１に送信する。このとき、カメラ１−３の通信が遮断されているので、制御部２０−２は、カメラ１−３に対して同期番号の情報の送信処理はできない。
また、制御部２０−２は、カメラ１−２の撮影番号Ｚを００４４から００４５に繰り上げて次の撮影に備える。
【００３７】
一方、通信が遮断されたカメラ１−３において撮影が実行された場合、カメラ１−３の制御部２０−３は、通信遮断の前の最新の同期番号がＸ＝１０１であり、識別番号がＹ＝３であり、撮影番号がＺ＝０３６９であるので、そのファイル名を「１０１３０３６９．ｊｐｇ」に決定する。そして、そのファイル名を撮影した画像データに付与してメモリカード２２−３に保存する。
それから、制御部２０−３は、同期番号Ｘに１を加算して、１０１から１０２に繰り上げる。このとき、制御部２０−３は、通信が遮断されているので、他のカメラに対する繰り上げた同期番号の送信処理はできない。
制御部２０−３は、カメラ１−３の撮影番号Ｚを０３６９から０３７０に繰り上げて次の撮影に備える。
【００３８】
更に通信遮断中にカメラ１−３において撮影が実行された場合、カメラ１−３の制御部２０−３は、同期番号がＸ＝１０２であり、識別番号がＹ＝２であり、撮影番号がＺ＝０３７０であるので、ファイル名を「１０２３０３７０．ｊｐｇ」に決定する。そして、そのファイル名を撮影した画像データに付与してメモリカード２２−３に保存する。
それから、制御部２０−３は、同期番号Ｘに１を加算して、１０２から１０３に繰り上げる。このとき、制御部２０−３は、上述と同様に、通信が遮断されているので、他のカメラに対する繰り上げた同期番号の送信処理はできない。
制御部２０−３は、カメラ１−３の撮影番号Ｚを０３７０から０３７１に繰り上げて次の撮影に備える。
【００３９】
その後、カメラ１−３とカメラ１及びカメラ１−２との通信が回復した場合、各カメラの制御部は、互いに同期した同期番号を改めて決めなおす。具体的には、カメラ１及びカメラ１−２の制御部は、カメラ１−３と通信を行い、カメラ１−３内の最新の同期番号を受信し、カメラ１−３の制御部２０−３は、カメラ１又はカメラ１−２と通信を行い、各カメラ内の最新の同期番号を受信する。そして、各カメラの制御部は、自機の同期番号と受信した同期番号とを比較し、番号の大きい最新の同期番号を次の撮影のファイル名に付する同期番号とする。
本実施形態では、通信不通時においてカメラ１及びカメラ１−２が繰り上げた同期番号がＸ＝１０３であり、カメラ１−３が繰り上げた同期番号もＸ＝１０３であるので、改めて決めなおされた同期番号は、Ｘ＝１０３となる。
【００４０】
以上より、カメラ間の通信が遮断された場合においても、各カメラで保存した画像データのファイル名が重複してしまうのを回避することができる。
また、通信が回復した後に各カメラ間の同期番号を決めなおすので、それ以降に撮影される画像データには、撮影順に同期番号を変化させたファイル名を付与することができ、各カメラの画像データの一括管理を容易にすることができる。
更に、各カメラは、通信遮断中の他のカメラに対して同期番号の情報を送信しないので、カメラの消費電力を低減することができる。
【００４１】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４２】
（変形形態）
（１）実施形態において、通信遮断時におけるカメラ１−３は、撮影のたびに同期番号を繰り上げる処理を行う例を示したが（図５参照）、これに限定されるものでない。例えば、カメラ１−３は、他のカメラとの通信遮断状態の間は、撮影のたびに同期番号の繰り上げ処理を行わず、同一の同期番号によるファイル名を画像データに付与するようにしてもよい。
このようにすることで、通信不通時において撮影した画像データを共通の同期番号で一まとまりに保存することができ、画像データの整理の利便性を向上することができる。なお、この場合、カメラ１及びカメラ１−２の少なくとも一方のカメラとの通信が回復した後は、同期番号を繰り上げる処理をする必要がある。
（２）実施形態において、ファイル名に含まれる同期部として、配列順序が定まった数字（０〜９）を用いた同期番号とした例を示したが、これ限定されるものでない。例えば、数字の変わりに、アルファベットや、仮名文字等を用いることも可能である。この場合、アルファベット等は、数字よりも１桁当たりの変数が多いため、決められた桁数（例えば８桁）のファイル名に対して、より多種類のファイル名を割り当てることができる。
また、カメラの識別番号や、撮影番号の代わりに、アルファベットや、仮名文字等を用いることも可能である。
【符号の説明】
【００４３】
１：カメラ、２：レンズ部、３：レンズ駆動回路、４：撮像素子、５：画像処理回路、１０：操作部、１１：電源スイッチ、１２：レリーズスイッチ、１３：シンクロスイッチ、２０：制御部、２１：記憶部、２２：メモリカード、２３：表示部、２４：通信部、ＳＷ１：半押しスイッチ、ＳＷ２：全押しスイッチ
【図１】
2014235682.tif 000003
【図２】
2014235682.tif 000004
【図３】
2014235682.tif 000005
【図４】
2014235682.tif 000006
【図５】
2014235682.tif 000007